(57)【要約】【課題】タッチパネルに磁気センサを設けることなく、３次元方向の位置を特定できる情報処理システムを提供する。【解決手段】情報処理システムは、光を発する操作体と、前記操作体による指定位置であり、第１の方向及び第２の方向の位置を検出するタッチパネルと、前記操作体から発せられる光を検出する光検出部と、前記操作体から発せられる光に基づいて第３の方向の位置を特定する制御部と、を含む。【選択図】図１
2016024521.tif 000002
【特許請求の範囲】
【請求項１】
光を発する操作体と、
前記操作体による指定位置であり、第１の方向及び第２の方向の位置である２次元位置を検出するタッチパネルと、
前記操作体から発せられる光を検出する光検出部と、
前記操作体から発せられる光に基づいて、前記２次元位置の第３の方向の位置を特定する制御部と、
を含む、
ことを特徴とする情報処理システム。
【請求項２】
前記制御部は、前記光と、前記第３の方向の位置を対応付けた対応表を予め保持する記憶部を有し、前記第３の方向の位置を前記対応表に基づいて特定する、
ことを特徴とする請求項１に記載の情報処理システム。
【請求項３】
前記光検出部は、前記光の発光色、発光量、および発光パターンの少なくとも１つを検出する、
ことを特徴とする請求項１または２に記載の情報処理システム。
【請求項４】
前記光検出部は、前記タッチパネルの外縁に設けられている、
ことを特徴とする請求項１〜３のいずれか１項に記載の情報処理システム。
【請求項５】
前記操作体は、発光素子をペン先に備えるスタイラスペンであって、
前記スタイラスペンは、前記発光素子の発光色、発光量、および発光パターンの少なくとも１つを制御できる、
ことを特徴とする請求項１〜４のいずれか１項に記載の情報処理システム。
【請求項６】
前記タッチパネルは、３次元画像を表示する機能を有する表示部に重ねて設けられている、
ことを特徴とする請求項１〜５のいずれか１項に記載の情報処理システム。
【請求項７】
操作体による指定位置であり、第１の方向及び第２の方向の位置である２次元位置を検出するタッチパネルと、
前記操作体から発せられる光を検出する光検出部と、
前記操作体から発せられる光に基づいて、前記２次元位置の第３の方向の位置を特定する制御部と、
を備える、
ことを特徴とする情報処理装置。
【請求項８】
操作体による指定位置であり、第１の方向及び第２の方向の位置である２次元位置をタッチパネルによって検出し、前記操作体から発せられる光に基づいて、前記２次元位置の第３の方向の位置を特定する、
ことを特徴とする情報処理方法。
【請求項９】
コンピュータを、
操作体によるタッチパネル上の指定位置であり、第１の方向及び第２の方向の位置である２次元位置を検出し、前記操作体から発せられる光に基づいて、前記２次元位置の第３の方向の位置を特定する手段、
として動作させる、
ことを特徴とする情報処理プログラム。
【請求項１０】
ペン先に発光素子を備え、
前記発光素子の発光色、発光量、および発光パターンの少なくとも１つを制御できる、
ことを特徴とするスタイラスペン。
【発明の詳細な説明】
【技術分野】
【０００１】
本発明は、情報処理システム、情報処理装置、情報処理方法、情報処理プログラム、およびスタイラスペンに関する。
【背景技術】
【０００２】
近年、３次元画像を表示することができるディスプレイの普及に伴い、ディスプレイの平面上の位置、即ち、Ｘ軸方向（第１の方向）及びＹ軸方向（第２の方向）の位置（２次元位置）の検出に加えて、ディスプレイに直交する方向であるＺ軸方向（第３の方向）の位置を検出して、３次元方向の位置（３次元位置）を検出するタッチパネルが検討されている。
【０００３】
特許文献１には、磁石を内蔵した入力媒体をタッチパネルの入力に使用し、磁石が発する磁界の強さに基づいて入力媒体の３次元方向の位置を検出する磁気センサを備えたタッチパネルが記載されている。
【先行技術文献】
【特許文献】
【０００４】
【特許文献１】特開２０１０−２７７１３３号公報
【発明の概要】
【発明が解決しようとする課題】
【０００５】
しかしながら特許文献１に記載の技術では、入力媒体に磁石を内蔵し、タッチパネルに磁気センサを設ける必要がある。
【０００６】
したがって本発明の目的は、磁気センサを設けることなく、３次元方向の位置を特定することができるタッチパネルを備える情報処理システムを提供することにある。
【課題を解決するための手段】
【０００７】
本発明の情報処理システムは、光を発する操作体と、前記操作体による指定位置であり、第１の方向及び第２の方向の位置である２次元位置を検出するタッチパネルと、前記操作体から発せられる光を検出する光検出部と、前記操作体から発せられる光に基づいて、前記２次元位置の第３の方向の位置を特定する制御部と、を含む。
【０００８】
本発明の情報処理装置は、操作体による指定位置であり、第１の方向及び第２の方向の位置である２次元位置を検出するタッチパネルと、前記操作体から発せられる光を検出する光検出部と、前記操作体から発せられる光に基づいて、前記２次元位置の第３の方向の位置を特定する制御部と、を備える。
【０００９】
本発明の情報処理方法は、操作体による指定位置であり、第１の方向及び第２の方向の位置である２次元位置をタッチパネルによって検出し、前記操作体から発せられる光に基づいて、前記２次元位置の第３の方向の位置を特定する。
【００１０】
本発明の情報処理プログラムは、コンピュータを、操作体によるタッチパネル上の指定位置であり、第１の方向及び第２の方向の位置である２次元位置を検出し、前記操作体から発せられる光に基づいて、前記２次元位置の第３の方向の位置を特定する手段、として動作させる。
【００１１】
本発明のスタイラスペンは、ペン先に発光素子を備え、前記発光素子の発光色、発光量、および発光パターンの少なくとも１つを制御できる。
【発明の効果】
【００１２】
本発明は、タッチパネルに磁気センサを設けることなく、３次元方向の位置を特定することができる。
【図面の簡単な説明】
【００１３】
【図１】本発明に係る情報処理システムの一例を示す構成図である。
【図２】本発明に係る情報処理装置の一例を示すブロック図である。
【図３】本発明に係る情報処理装置における光検出部の設置場所の一例を示す説明図である。
【図４】本発明に係る情報処理システムにおける発光素子の発光状態とＺ軸方向の位置の対応関係の一例を示す対応表である。
【図５】本発明に係る情報処理システムの動作の流れを示すフローチャートである。
【発明を実施するための形態】
【００１４】
以下、図面を参照しながら、本発明の実施形態について詳細に説明する。なお、同様な内容については繰り返しの煩雑を避けるために、適宜説明を省略する。
【００１５】
［１．情報処理システム］
図１は、本発明に係る情報処理システムの構成図である。図１を参照すると、本発明に係る情報処理システムは、スタイラスペン１０と、タッチパネル２０と、表示部３０と、光検出部４０と、制御部５０（図示せず）と、を備えている。以下、図１を参照しながら、本発明の構成要素について説明する。
【００１６】
スタイラスペン１０は、ペン先１２と、スイッチ部１４と、を有している。スタイラスペン１０は、タッチパネル２０の操作に使用する操作体であり、ペン先１２でタッチパネル２０をタッチすることによって、２次元方向の位置（座標）を指定することができる。
【００１７】
ペン先１２は、発光素子、および発光素子を制御する内部回路を備えている。発光素子としては、例えばＬＥＤ（Light Emitting Diode），電球等を用いることができる。ペン先１２は、単色の発光素子のみを備えていてもよいし、複数の色の光を発光できるように、複数の色の発光素子を備えていてもよい。内部回路は、例えば流れる電流の大きさに応じて発光素子の発光色、および発光量等を制御する機能を有している。また内部回路は、ペン先１２ではなく、スタイラスペン１０の胴体部が備えていてもよい。なお、ペン先１２の発光色、および発光量等を変化させる方式は、内部回路に流れる電流に応じて変化させる方式に限定されない。ペン先１２の発光色、および発光量を変化させることができれば、他の方式を用いてもよい。
【００１８】
スタイラスペン１０は、発光素子、および内部回路に電力を供給するために、例えば電池を搭載できる構造を有している。搭載する電池は、１次電池であってもよいし、２次電池であってもよい。スタイラスペン１０に２次電池を搭載する場合、スタイラスペン１０は、２次電池を充電する際に使用する入力端子、および充電回路をさらに備える。
【００１９】
スイッチ部１４は、スタイラスペン１０の外観に設けられており、例えばペン先１２が有する発光素子の発光色、および発光量等を制御できるスイッチである。スイッチ部１４は、例えばアナログタイプのスイッチでもよいし、発光量を段階的に設定できるスイッチでもよい。スイッチ部１４が段階的に発光量を設定できるスイッチの場合、スイッチ部１４として、例えば発光量を大，中，小の３段階に設定できるスイッチが考えられる。
【００２０】
また後述するが、本発明は、光検出部４０が検出するペン先１２の発光色、および発光量等に基づいて、表示部３０が表示する３次元画像の原点を基準とする第３の方向の位置を特定する。したがって、例えばスイッチ部１４をペン先１２の方向に移動させた時に発する光を第３の方向のマイナス方向に対応させ、スイッチ部１４をペン先１２とは逆の方向に移動させた時に発する光を第３の方向のプラス方向に対応させることができる。このようにスイッチ部１４と、表示部３０が表示する３次元画像の原点を基準とする第３の方向の位置とを対応づけることによって、ユーザは３次元画像における第３の方向の位置を直感的に入力（指定）することが可能になる。
【００２１】
またスタイラスペン１０は、発光素子の点滅パターンを変化することができる機能を有していてもよい。この場合、例えばスタイラスペン１０は、発光素子を２つの点滅パターンで発光させるスイッチを有し、ユーザの任意で２つの点滅パターンを切り替えることができる。そして、一方の点滅パターンを第３の方向のマイナス方向に対応させ、他方の点滅パターンを第３の方向のプラス方向に対応させてもよい。
【００２２】
なお、操作体の一例としてスタイラスペン１０について説明したが、本発明の操作体は、これに限定されない。本発明の操作体は、例えば指先に発光素子を備え、発光素子の発光色、発光量、および発光パターンの少なくとも１つを制御できる手袋であってもよい。
【００２３】
タッチパネル２０は、例えば一般的な抵抗膜方式のタッチパネルである。タッチパネル２０は、スタイラスペン１０で入力操作が可能であれば、静電容量方式、電磁誘導方式、超音波方式、光学方式等のタッチパネルであってもよい。タッチパネル２０は、スタイラスペン１０のペン先１２が接触した位置のＸ軸方向（第１の方向）及びＹ軸方向（第２の方向）の位置である２次元位置を検出することができる。
【００２４】
表示部３０は、画像、およびユーザからの操作を受け付けるアイコン等を表示するディスプレイである。表示部３０としては、例えば液晶ディスプレイ、プラズマディスプレイ、有機ＥＬディスプレイ等を用いることができる。本発明は、第３の方向の位置を検出することができるため、表示部３０として３次元表示に対応したディスプレイを用いてもよい。一般的に表示部３０と、タッチパネル２０とは、組み合わせて使用される。タッチパネル２０は、例えば表示部３０上に重ねて設けられている。
【００２５】
光検出部４０は、非接触で物体が発する例えば光の発光色、発光量、および発光パターン等を検知できるセンサである。光検出部４０としては、例えば輝度センサ、照度センサ等の光センサを用いることができる。また光検出部４０として、輝度センサ、照度センサ等をそれぞれ単独で用いてもよいし、それぞれの光センサを組み合わせて用いてもよい。
【００２６】
図３（ａ）〜（ｃ）は、光検出部４０の設置についての一例を示した設置図である。図３（ａ）〜（ｃ）は、光検出部４０の光検出方向を矢印で示している。以下、図３を参照しながら、光検出部４０の設置方法、および設置場所について説明する。
【００２７】
光検出部４０は、タッチパネル２０上の操作体から発せられる光の発光色、発光量、および発光パターンの少なくとも１つを検出する。このため、光検出部４０は、例えばタッチパネル２０と同一平面上に設置されている。また光が発せられる位置に依らずに、発光素子が発する光の発光色、発光量、および発光パターンの少なくとも１つを検出できる位置に光検出部４０が設置される。
具体的に説明すると、光検出部４０は、例えば、光検出部４０が直線方向の光を検出する場合には、図３（ａ）に示すようにタッチパネル２０の長手方向に沿って複数の光検出部４０をタッチパネル２０と同一平面上に設置する。図３（ａ）は、光検出部４０をタッチパネル２０の長手方向に設置しているが、タッチパネル２０の短手方向に設置してもよい。このように光検出部４０を設置することによって、光検出部４０は、タッチパネル２０上のどこに光が照射されても、照射された光を検出することができる。
また、図３（ｂ）に示すように、タッチパネル２０の４辺に亘って光検出部４０を設置してもよい。図３（ｂ）のように光検出部４０を設置することによって、光検出部４０は、タッチパネル２０上に照射された光を４つの辺から検出するため、１つの辺に沿って設置した場合と比べて精度よく照射された光を検出することができる。
さらに、図３（ｃ）に示すように、光検出部４０が広範囲で測定できるのであれば、例えばタッチパネルの長手方向の２つ辺に、それぞれ１個ずつ光検出部４０を設置してもよい。図３（ｃ）は、設置する光検出部４０が、図３（ａ）、および図３（ｂ）の場合と比べて少数であるため、製造の観点で有利である。
また、タッチパネル２０に光学方式のタッチパネルを用いる場合には、２次元方向の位置を検出するための発光素子と光検出部が必要になるため、それらの素子と干渉しないように光検出部４０を設置する。なお、光検出部４０の設置場所は、これに限定されない。光検出部４０は、発光素子の発光色、発光量、および発光パターンの少なくとも１つを検出できる位置であればユーザの任意の場所に設置することができる。
制御部５０（図示せず）は、タッチパネル２０、表示部３０、及び光検出部４０の動作の制御を行う。
【００２８】
［２．実施形態］
図２は、本発明の実施形態に係る情報処理装置１００を示すブロック図である。情報処理装置１００は、タッチパネル２０と、表示部３０と、光検出部４０と、制御部５０と、を備える。情報処理装置１００は、例えばパソコン，ＰＯＳ（Point of Sales）端末，携帯電話，デジタルカメラ，ポータブルゲーム機等である。以下、図２を適宜参照しながら、本発明の実施の形態に係る情報処理装置１００について説明する。
【００２９】
制御部５０は、タッチパネル２０、表示部３０、および光検出部４０の動作を制御することができる。
【００３０】
制御部５０は、タッチパネル２０にスタイラスペン１０が接触すると、接触した位置のＸ軸方向（第１の方向）及びＹ軸方向（第２の方向）の位置である２次元位置を検出することができる。
【００３１】
表示部３０は、制御部５０からの制御にしたがって、画像や、ユーザからの操作を受け付けるアイコン等を表示する。具体的に説明すると、制御部５０は、例えばアプリケーションソフトより表示部３０にタッチすることのできるアイコンを３次元的に表示させる。そして制御部５０は、ユーザがアイコンをタッチすると、タッチされたアイコンに対応する機能を実行する。
【００３２】
光検出部４０は、制御部５０からの制御にしたがって、発光素子の発光色、発光量、および発光パターンの少なくとも１つを検出する。制御部５０は、光検出部４０が検出した発光素子の発光色等に基づいて３次元画像の原点を基準とするＺ軸方向（第３の方向）の位置を特定する。この時、制御部５０は、例えば図４に示すような、発光素子の発光色、および発光量と、３次元画像の原点を基準とするＺ軸方向（第３の方向）の位置関係を予め対応付けた対応表から３次元画像の原点を基準とするＺ軸方向（第３の方向）の位置を特定する。
具体的に説明すると、図４に示した対応表では、発光色が緑色の場合は３次元画像の原点を基準にＺ軸方向（第３の方向）のプラス方向に対応し、発光素子が赤色の場合は３次元画像の原点を基準にＺ軸方向（第３の方向）のマイナス方向に対応している。
また、図４に示した対応表では発光素子の輝度が高いほど、Ｚ軸方向（第３の方向）の位置は３次元画像の原点を基準にして離れていることが示されている。このように発光素子の発光色、および発光量と、３次元画像の原点を基準とするＺ軸方向（第３の方向）の位置をあらかじめ対応付けることによって、制御部５０は、Ｚ軸方向（第３の方向）の位置を容易に特定することができる。なお、図４の対応表は本発明を限定するものではない。本発明は、発光素子の種々の状態と、Ｚ軸方向（第３の方向）の位置とをユーザの任意で対応付けることができる。例えば、発光素子が２種類の発光パターンを有する場合、一方の発光パターンを３次元画像の原点を基準にＺ軸方向（第３の方向）のプラス方向に対応させ、他方の発光パターンを３次元画像の原点を基準にマイナス方向に対応させてもよい。この場合、いずれかの発光パターンが継続している間、その発光パターンに対応する方向の座標の絶対値を大きくすることが考えられる。
【００３３】
制御部５０が対応表に基づいて３次元画像の原点を基準にＺ軸方向（第３の方向）の位置を特定する場合、対応表を保持する記憶部をさらに備えている。なお、制御部５０が記憶部を備えずに、発光素子の発光状態を検知した後に、対応表を保持する外部に設置された記憶装置と通信して３次元方向の位置を算出してもよい。
【００３４】
またＺ軸方向（第３の方向）の位置を特定する方法として、制御部５０は、光検出部４０が光を検知している間は３次元画像の原点を基準にＺ軸方向（第３の方向）のプラス方向に座標値を大きくするように制御してもよい。この場合、スタイラスペン１０が備えるボタンを再度押下することで値をキャンセルして座標を０に戻すようにすることが考えられる。
【００３５】
［３．位置の検出手段］
図５は、本発明に係る情報処理システムが位置を検出する流れの一例を示すフローチャートである。
以下、図１、及び図５を参照しながら本発明に係る情報処理システムが、スタイラスペン１０によってタッチパネル２０上に入力されたＸ軸方向（第１の方向）及びＹ軸方向（第２の方向）の位置である２次元位置、およびＺ軸方向（第３の方向）の位置を検出する流れについて説明する。
【００３６】
まずユーザが、スタイラスペン１０で表示部３０が表示する３次元画像に基づいてタッチパネル２０のＸ軸方向（第１の方向）及びＹ軸方向（第２の方向）、即ち、２次元方向の任意の位置をタッチする（ステップＳ１０１）。
【００３７】
次に制御部５０は、スタイラスペン１０がタッチした位置の２次元方向の位置を検出する（ステップＳ１０２）。
【００３８】
次にユーザは、例えばタッチパネル２０にスタイラスペン１０が備える発光素子を発光させると共に、光の発光色、発光量、および発光パターンの少なくとも１つを変化させることで表示部３０が表示する３次元画像の原点を基準とするＺ軸方向（第３の方向）の位置を指定する（ステップＳ１０３）。この時、ユーザは、最初のタッチパネルへのタッチとスタイラスペン１０のスイッチ操作を同時に行ってもよい。
【００３９】
次に制御部５０は、タッチされた２次元方向の位置を認識し、その位置に照射された光の発光色、発光量、および発光パターンの少なくとも１つを検出するために光検出部４０を動作させる。そして光検出部４０は、光の発光色、発光量、および発光パターンの少なくとも１つを検出する（ステップＳ１０４）。
【００４０】
制御部５０は、光検出部４０が検出した光の発光色、発光量、および発光パターンの少なくとも１つを図４に示す対応表に基づいて表示部３０が表示する３次元画像の原点を基準とするＺ軸方向（第３の方向）の位置を特定する（ステップＳ１０５）。即ち、制御部５０は、光検出部４０が対応表で定義された特定の光を検出することで、表示部３０が表示する３次元画像の原点を基準とするＺ軸方向（第３の方向）方向の位置を特定することができる。
【００４１】
表示部３０が表示する３次元画像の原点を基準とするＸ軸方向（第１の方向）及びＹ軸方向（第２の方向）、即ち、２次元方向の位置、およびＺ軸方向（第３の方向の位置を検出した後は、制御部５０は、その位置に位置するアイコンに対応した機能を実行する（ステップＳ１０６）。
なお、Ｘ軸方向（第１の方向）及びＹ軸方向（第２の方向）の位置の検出と、Ｚ軸方向（第３の方向）の位置の検出は、逆の順序で行ってもよいし、同時に行ってもよい。
【００４２】
［４．その他の実施例］
本発明の情報処理システムを利用したその他の実施例は、例えばデジタルカメラである。本発明をデジタルカメラに利用する場合、例えばシャッターの半押し（ピント合せ）、および全押し（シャッターを切る）等のボタンの押し方を２段階に分けて制御する方法等が考えられる。
【００４３】
以上、実施形態（および実施例）を参照して本発明を説明したが、本発明は上記実施形態（および実施例）に限定されるものではない。本発明の構成や詳細には、本発明のスコープ内で当業者が理解し得る様々な変更をすることができる。
【００４４】
また上記の実施形態の一部、または全部は、以下のようにも記載されうる。なお、以下の付記は本発明を何等限定するものではない。
【００４５】
［付記１］
光を発する操作体と、
前記操作体による指定位置であり、第１の方向及び第２の方向の位置である２次元位置を検出するタッチパネルと、
前記操作体から発せられる光を検出する光検出部と、
前記操作体から発せられる光に基づいて、前記２次元位置の第３の方向の位置を特定する制御部と、
を含む、
ことを特徴とする情報処理システム。
【００４６】
［付記２］
前記制御部は、前記光と、前記第３の方向の位置を対応付けた対応表を予め保持する記憶部を有し、前記第３の方向の位置を前記対応表に基づいて特定する、
ことを特徴とする上記付記に記載の情報処理システム。
【００４７】
［付記３］
前記光検出部は、前記光の発光色、発光量、および発光パターンの少なくとも１つを検出する、
ことを特徴とする上記付記に記載の情報処理システム。
【００４８】
［付記４］
前記光検出部は、前記タッチパネルの外縁に設けられている、
ことを特徴とする上記付記に記載の情報処理システム。
【００４９】
［付記５］
前記操作体は、発光素子をペン先に備えるスタイラスペンであって、
前記スタイラスペンは、前記発光素子の発光色、発光量、および発光パターンの少なくとも１つを制御できる、
ことを特徴とする上記付記に記載の情報処理システム。
【００５０】
［付記６］
前記スタイラスペンは、スイッチを備え、
前記スイッチは、前記発光素子の発光色、発光量、および発光パターンの少なくとも１つを制御できる、
ことを特徴とする上記付記に記載の情報処理システム。
【００５１】
［付記７］
前記タッチパネルは、３次元画像を表示できる表示部に重ねて設けられている、
ことを特徴とする上記付記に記載の情報処理システム。
【００５２】
［付記８］
前記発光素子は、ＬＥＤである、
ことを特徴とする上記付記に記載の情報処理システム。
【００５３】
［付記９］
前記光検出部は、輝度センサ、および照度センサの少なくとも１つである、
ことを特徴とする上記付記に記載の情報処理システム。
【００５４】
［付記１０］
操作体による指定位置であり、第１の方向及び第２の方向の位置である２次元位置を検出するタッチパネルと、
前記操作体から発せられる光を検出する光検出部と、
前記操作体から発せられる光に基づいて、前記２次元位置の第３の方向の位置を特定する制御部と、
を備える、
ことを特徴とする情報処理装置。
【００５５】
［付記１１］
前記制御部は、前記光と、前記第３の方向の位置を対応付けた対応表を予め保持する記憶部を有し、記第３の方向の位置を前記対応表に基づいて特定する、
ことを特徴とする上記付記に記載の情報処理装置。
【００５６】
［付記１２］
前記光検出部は、前記タッチパネルの外縁に設けられている、
ことを特徴とする上記付記に記載の情報処理装置。
【００５７】
［付記１３］
前記光検出部は、輝度センサ、および照度センサの少なくとも１つである、
ことを特徴とする上記付記に記載の情報処理装置。
【００５８】
［付記１４］
操作体による指定位置であり、第１の方向及び第２の方向の位置である２次元位置をタッチパネルによって検出し、前記操作体から発せられる光に基づいて、前記２次元位置の第３の方向の位置を特定する、
ことを特徴とする情報処理方法。
【００５９】
［付記１５］
前記光と前記第３の方向の位置を対応付けた対応表に基づいて前記第３の方向の位置を特定する、
ことを特徴とする上記付記に記載の情報処理方法。
【００６０】
［付記１６］
前記光の輝度、および照度の少なくとも１つを検出する、
ことを特徴とする上記付記に記載の情報処理方法。
【００６１】
［付記１７］
コンピュータを、
操作体によるタッチパネル上の指定位置であり、第１の方向及び第２の方向の位置である２次元位置を検出し、前記操作体から発せられる光に基づいて、前記２次元位置の第３の方向の位置を特定する手段、
として動作させる、
ことを特徴とする情報処理プログラム。
【００６２】
［付記１８］
前記コンピュータを、
前記光と前記第３の方向の位置を対応付けた対応表に基づいて前記第３の方向の位置を特定する手段、として動作させる、
ことを特徴とする上記付記に記載の情報処理プログラム。
【００６３】
［付記１９］
前記コンピュータを、
前記光の輝度を検出する手段、および照度を検出する手段の少なくとも１つとして動作させる、
ことを特徴とする上記付記に記載の情報処理プログラム。
【００６４】
［付記２０］
ペン先に発光素子を備え、
前記発光素子の発光色、発光量、および発光パターンの少なくとも１つを制御できる、
ことを特徴とするスタイラスペン。
【００６５】
［付記２１］
スイッチをさらに備え、
前記スイッチは、前記発光素子の発光色、発光量、および発光パターンの少なくとも１つを制御できる、
ことを特徴とするスタイラスペン。
【符号の説明】
【００６６】
１０・・・スタイラスペン
１２・・・ペン先
１４・・・スイッチ部
２０・・・タッチパネル
３０・・・表示部
４０・・・光検出部
５０・・・制御部
１００・・・情報処理装置
【図１】
2016024521.tif 000003
【図２】
2016024521.tif 000004
【図３】
2016024521.tif 000005
【図４】
2016024521.tif 000006
【図５】
2016024521.tif 000007